(57)【要約】【課題】通常の金型と汎用プレス機を用いて比較的少ない工数で安価に製造することができる蝶番を提供する。【解決手段】遊技機の前扉と筐体の上部に取り付けられ、前扉を筐体に対し開閉可能に支持する蝶番である。前扉の上部に取り付けられる可動部材１１と筐体に取り付けられる固定部材１とからなり、固定部材１には、筐体に取り付けられる取付部２から前方に水平に延設された水平支持部３が設けられる。水平支持部３の下面に支持ピン４が下向きに突設され、可動部材１１には、支持ピン４に嵌合して回動可能に支持される軸受部１４が設けられる。固定部材１の支持ピン４は、プレスの絞り加工により、水平支持部３の上面に穴を有した先端閉鎖形の円筒形状に、水平支持部３と一体に形成されている。【選択図】図１
2004041345.tif 000002
【特許請求の範囲】
【請求項１】
遊技機の前扉と筐体の上部に取り付けられ、該前扉を筐体に対し開閉可能に支持する蝶番において、
該前扉の上部に取り付けられる可動部材と該筐体に取り付けられる固定部材とからなり、該固定部材には、該筐体に取り付けられる取付部から前方に水平に延設された水平支持部が設けられ、該水平支持部の下面に支持ピンが下向きに突設され、該可動部材には、該支持ピンに嵌合して回動可能に支持される軸受部が設けられ、該固定部材の支持ピンは、プレスの絞り加工により、該水平支持部の上面に穴を有した先端閉鎖形の円筒形状に、該水平支持部と一体に形成されていることを特徴とする蝶番。
【請求項２】
遊技機の前扉と筐体の上部に取り付けられ、該前扉を筐体に対し開閉可能に支持する蝶番において、
該前扉の上部に取り付けられる可動部材と該筐体に取り付けられる固定部材とからなり、該可動部材の支持部には、該固定部材に設けられた支持ピンに嵌合する軸受部をなす嵌合溝が設けられ、該支持部の下面には該支持ピンによって回動し、該嵌合溝に該支持ピンが進入した状態で該嵌合溝の開口部を閉鎖する閉鎖部材が支持軸を介して該支持部の下面に回動可能に軸支され、該支持軸は該支持部の下面に下向きに突設されると共に、プレスの絞り加工により該支持部の上面に穴を有した先端閉鎖形の円筒形状に該支持部と一体に形成されていることを特徴とする蝶番。
【請求項３】
遊技機の前扉と筐体の下部に取り付けられ、該前扉を筐体に対し開閉可能に支持する蝶番において、
該前扉の下部に取り付けられる可動部材と該筐体に取り付けられる固定部材とからなり、該固定部材には、該筐体に取り付けられる取付部から前方に水平に延設された水平支持部が設けられ、該水平支持部の上面に支持ピンが上向きに突設され、該可動部材には、該支持ピンに嵌合して回動可能に支持される軸受孔が設けられ、該固定部材の支持ピンは、プレスの絞り加工により、該水平支持部の下面に穴を有した先端閉鎖形の円筒形状に、該水平支持部と一体に形成されていることを特徴とする蝶番。
【請求項４】
遊技機の前扉と筐体の上部に取り付けられ、該前扉を筐体に対し開閉可能に支持する蝶番において、
該前扉の上部に取り付けられる可動部材と該筐体に取り付けられる固定部材とからなり、該可動部材には、該前扉に取り付けられる取付部から側方に延設された水平支持部が設けられ、該水平支持部の下面に支持ピンが下向きに突設され、該固定部材には、該支持ピンに嵌合して回動可能に支持される軸受部が設けられ、該可動部材の支持ピンは、プレスの絞り加工により、該水平支持部の上面に穴を有した先端閉鎖形の円筒形状に、該水平支持部と一体に形成されていることを特徴とする蝶番。
【請求項５】
遊技機の前扉と筐体の上部に取り付けられ、該前扉を筐体に対し開閉可能に支持する蝶番において、
該前扉の上部に取り付けられる可動部材と該筐体に取り付けられる固定部材とからなり、該固定部材の支持部には、該可動部材に設けられた支持ピンに嵌合する軸受部をなす嵌合溝が設けられ、該支持部の下面には該支持ピンによって回動し、該嵌合溝に該支持ピンが進入した状態で該嵌合溝の開口部を閉鎖する閉鎖部材が支持軸を介して該支持部の下面に回動可能に軸支され、該支持軸は該支持部の下面に下向きに突設されると共に、プレスの絞り加工により該支持部の上面に穴を有した先端閉鎖形の円筒形状に該支持部と一体に形成されていることを特徴とする蝶番。
【請求項６】
遊技機の前扉と筐体の下部に取り付けられ、該前扉を筐体に対し開閉可能に支持する蝶番において、
該前扉の下部に取り付けられる可動部材と該筐体に取り付けられる固定部材とからなり、該可動部材には、該筐体に取り付けられる取付部から側方に延設された水平支持部が設けられ、該水平支持部の下面に支持ピンが下向きに突設され、該固定部材の支持部には、該支持ピンに嵌合して回動可能に支持される軸受孔が設けられ、該可動部材の支持ピンは、プレスの絞り加工により、該水平支持部の上面に穴を有した先端閉鎖形の円筒形状に、該水平支持部と一体に形成されていることを特徴とする蝶番。
【発明の詳細な説明】
【０００１】
【発明の属する技術分野】
本発明は、パチンコ機、スロットマシン等の遊技機の前扉を筐体に対し開閉可能に取り付ける着脱型の蝶番に関する。
【０００２】
【従来の技術】
従来、パチンコ機の前扉を筐体に対し開閉可能に支持する蝶番として、上部と下部に分離した着脱形の蝶番が知られている（例えば特開２０００−１５３０４７号公報等参照）。この種の蝶番は、上部蝶番と下部蝶番とからなり、上部蝶番及び下部蝶番ともに、前扉に取り付けられる可動部材と、筐体に取り付けられる固定部材とから構成され、可動部材は固定部材に対し着脱可能とされる。
【０００３】
上部蝶番の固定部材には、取付部から前方に水平に突設された水平支持部の上面に支持ピンが垂直に突設され、上部蝶番の可動部材にはその支持ピンに嵌合する嵌合孔が軸受部として形成され、また、下部蝶番も同様に、その固定部材には、取付部から前方に水平に突設された水平支持部の上面に支持ピンが垂直に突設され、下部蝶番の可動部材にはその支持ピンに嵌合する嵌合孔が軸受部として形成される。そして、前扉を筐体に対し装着する際には、その上部蝶番と下部蝶番の軸受部の嵌合孔を、対応する固定部材の水平支持部上の支持ピンに嵌め込むように装着し、前扉を筐体に対し開閉可能に取り付けることができる。
【０００４】
【発明が解決しようとする課題】
ところで、この種の蝶番を製造する場合、一般に、プレス機を用いて鋼板を所定の形状にせん断加工して裁断すると共に、所定の位置に取付孔を穿設し、さらに、所定の形状に曲げ加工し、そして、上記水平支持部の所定の位置に、支持ピンを垂直にかしめ固定して蝶番を製造している。
【０００５】
しかし、支持ピンを水平支持部上の孔に差し込み、それをかしめ固定する作業は、特殊なかしめ機を使用して、水平支持部の孔に支持ピンを嵌挿した状態で孔の縁部をかしめる加工して固定する。或いは特殊なピンかしめ用金型とプレス機を用いて、支持ピンを嵌挿した水平支持部の孔の縁部をかしめて固定するため、加工工数が多くかかり、また、特殊なかしめ機、或は特殊なピンかしめ用金型や冶具が必要となり、設備費を含む製造コストが非常に高くなるという課題があった。
【０００６】
本発明は、上記の点に鑑みてなされたもので、通常の金型と汎用プレス機を用いて比較的少ない工数で安価に製造することができる蝶番を提供することを目的とする。
【０００７】
【課題を解決するための手段】
上記目的を達成するために、本発明の請求項１の蝶番は、遊技機の前扉と筐体の上部に取り付けられ、前扉を筐体に対し開閉可能に支持する蝶番において、前扉の上部に取り付けられる可動部材と筐体に取り付けられる固定部材とからなり、固定部材には、筐体に取り付けられる取付部から前方に水平に延設された水平支持部が設けられ、水平支持部の下面に支持ピンが下向きに突設され、可動部材には、支持ピンに嵌合して回動可能に支持される軸受部が設けられ、固定部材の支持ピンは、プレスの絞り加工により、水平支持部の上面に穴を有した先端閉鎖形の円筒形状に、水平支持部と一体に形成されていることを特徴とする。
【０００８】
また、本発明の請求項２の蝶番は、遊技機の前扉と筐体の上部に取り付けられ、前扉を筐体に対し開閉可能に支持する蝶番において、前扉の上部に取り付けられる可動部材と筐体に取り付けられる固定部材とからなり可動部材の支持部には、固定部材に設けられた支持ピンに嵌合する軸受部をなす嵌合溝が設けられ、支持部の下面には支持ピンによって回動し、嵌合溝に支持ピンが進入した状態で嵌合溝の開口部を閉鎖する閉鎖部材が支持軸を介して支持部の下面に回動可能に軸支され、支持軸は支持部の下面に下向きに突設されると共に、プレスの絞り加工により支持部の上面に穴を有した先端閉鎖形の円筒形状に支持部と一体に形成されていることを特徴とする。
【０００９】
【作用】
上記構成の蝶番は、その製造時、固定部材の水平支持部の下面に下向きに設けられる支持ピンが、プレスの絞り加工により、水平支持部の上面に穴を有した先端閉鎖形の円筒形状に、水平支持部と一体に形成される。また、可動部材においては、その支持部の下面に回動可能に軸支される閉鎖部材の支持軸が、プレスの絞り加工により支持部の上面に穴を有した先端閉鎖形の円筒形状に支持部と一体に形成される。
【００１０】
したがって、従来の蝶番のように、支持ピンを固定部材の水平支持部にかしめ固定するために、或いは可動部材の支持部に閉鎖部材を軸支する際の支持軸を固定する際にかしめ固定するために、従来必要としていた特殊なかしめ機やピンかしめ用金型及び治具が不要となり、通常の金型とプレス機を用いて、比較的少ない加工工数で安価に蝶番を製造することができる。
【００１１】
【発明の実施の形態】
以下、本発明の実施の形態を図面に基づいて説明する。図１は遊技機の前扉を開閉可能に支持する上部蝶番の固定部材１の斜視図を示し、図３はその可動部材１１の斜視図を示している。この上部蝶番は、遊技機の筐体と前扉の上部に取り付けられる蝶番で、筐体側に固定される固定部材１と前扉側に固定される可動部材１１とから構成され、固定部材１の水平支持部３の下面に下向きに突設された支持ピン４に、可動部材１１の軸受部１４が嵌合して、可動部材１１が支持ピン４を軸に回動可能に支持される。
【００１２】
固定部材１は、筐体に取り付けられる部分として略Ｌ型に曲折された取付部２を有し、取付部２には固定ねじをねじ込むための複数の取付孔が穿設されている。この取付部２の上部から水平支持部３が前面水平に突き出すように突設され、その水平支持部３の下面に、支持ピン４が下向きに突設される。この支持ピン４は、固定部材１をプレス加工により鋼板から成形する際、プレスの絞り加工により、先端閉鎖形の円筒形状に、水平支持部３と一体に形成される。この支持ピン４は、プレスの絞り加工により形成されるため、水平支持部３の上面には穴４ａが形成され、中空の略弾丸形状に形成される。
【００１３】
この固定部材１は、例えば厚さ３ｍｍの鋼板をプレス加工し、所定の形状に裁断し、曲折し、孔を穿設して製造されるが、そのプレス加工の際に、支持ピン４を絞り加工により成形する。この支持ピン４の絞り加工は、プレス工程の概略を示す図９〜図１０のように、複数のポンチＰ１〜Ｐ３と、ポンチＰ１〜Ｐ３に対応したクッションピンＫ１〜Ｋ３と、下型２４とを備えたプレス機により行なうことができる。
【００１４】
図９〜図１０において、２０はプレス機のスライド、２６はそのボルスタであり、スライド２０の下部にはポンチ支持部２１により絞り加工用の例えば３本のポンチＰ１〜Ｐ３が取り付けられる。これらのポンチＰ１〜Ｐ３は、ワーク（鋼板）Ｗの進行方向に向かって順に外径が細くなると共に、長さが長くなるように形成され、各ポンチＰ１〜Ｐ３の先端部は半球状に形成される。ポンチ支持部２１の下側に、コイルばね２２を介してブランクホルダー２３が取り付けられ、各ポンチＰ１〜Ｐ３の下部が、ブランクホルダー２３に穿設された孔に嵌挿され、摺動可能に支持される。
【００１５】
ボルスタ２６上に固定された下型２４には、各ポンチＰ１〜Ｐ３に対応した位置に孔が穿設され、それらの孔にクッションピンＫ１〜Ｋ３が摺動可能に嵌挿される。下型２４の孔は各ポンチＰ１〜Ｐ３の外径より少し大径に形成され、各ポンチＰ１〜Ｐ３の先端部はその下降時に下型２４の各孔にワークＷと共に進入する。クッションピンＫ１〜Ｋ３の上端部には、各ポンチＰ１〜Ｐ３の下端部の半球凸部に対応した半球状の凹部が形成され、絞り加工される支持ピンの先端部を支持して半球状に成形する。ボルスタ２６内にはクッションピンＫ１〜Ｋ３の下側に、ピンを弾性支持するためのコイルばね２５が配設されている。
【００１６】
上記のような構成のプレス機を使用して、ワーク（鋼板）Ｗの絞り加工を行い、その絞り加工によってワークＷ上に所定の外径と長さの支持ピン４を形成する。図９〜図１０に示すように、プレス機のスライド２０のストローク毎に、ワークＷを所定の距離（隣接するポンチの中心間距離）だけ順に供給し、これにより、ワークＷの支持ピンの位置には、順に細く長くなるポンチＰ１〜Ｐ３が圧入され、各ポンチによりワークＷが絞られることにより、所定位置に先端閉鎖形の円筒状の支持ピン４が絞り加工により形成される。この図例のように、プレスの３工程によって、例えば厚さ３ｍｍの鋼板をワークＷとして、例えば外径６ｍｍ、長さ１０ｍｍの支持ピンを、良好に加工することができる。また、このように絞り加工で形成された支持ピン４は、中空状であるが、中実のピンと同様、蝶番の軸に必要な強度は充分に有している。
【００１７】
そして、このような支持ピン４をワークＷに形成した後、次のプレス工程で、そのワークＷを所定の形状に裁断（せん断加工）し、所定の位置に取付孔を穿設し、そして、取付部２を略Ｌ形に曲折して、固定部材１は製造される。このように、上記構成の固定部材１は、通常のプレス機によるプレス加工（絞り加工、せん断加工、曲げ加工）により、特殊なかしめ機やピンかしめ加工用の特殊な金型などを使用せずに、安価な設備で且つ少ない工数で、製造することができる。
【００１８】
図３は、遊技機の前扉の上部に固定し、上記固定部材１に嵌合する可動部材１１の斜視図を示している。この可動部材１１は、図６〜図８に示すように、細長くＬ形に曲折された取付部１２を有し、その取付部１２の先端に支持部１３が形成され、その支持部１３に、上記支持ピン４を嵌合させて軸受部１４となる嵌合溝１４ａが形成される。嵌合溝１４ａは先端部から略Ｕ字状に切り欠いて形成され、固定部材１側の支持ピン４が緩く嵌入可能である。
【００１９】
さらに、この支持部１３の下部には、図６のような形状の閉鎖部材１５が支持軸１６を介して回動可能に取り付けられる。閉鎖部材１５は、図６に示すように、支持ピン４が進入可能な進入溝１３ａを有し、さらに、後述のロック部材１７を係合可能な係合部１５が突状に形成される。この閉鎖部材１５は、その進入溝１３ａが支持部１３側の嵌合溝１４ａと重なり合って回動可能に軸支され、進入溝１３ａと嵌合溝１４ａの開口部が合ったとき、そこから支持ピン４が進入し、その後、閉鎖部材１５が所定位置まで回動し、その開口部を閉鎖して、支持ピン４の離脱を阻止し、嵌合溝１４ａの軸受部１４で支持ピン４を回動可能に（相対的には可動部材１１が回動可能に）軸受され、軸支される。
【００２０】
この閉鎖部材１５が軸支される支持軸１６は、上記支持ピン４と同様に、プレスの絞り加工により、先端閉鎖形の円筒形状に、支持部１３と一体に形成される。この支持軸１６は、プレスの絞り加工により形成されるため、支持部１３の上面には穴が形成され、中空の略弾丸形状に形成される。そして、この支持軸１６には、図４に示すように、閉鎖部材１５がその軸孔を挿通させてはめ込まれ、その状態で、支持軸１６の先端をプレスにより潰すようにかしめて偏平幅広形状とし、支持部１３に対し閉鎖部材１５を回動可能に支持軸１６に軸支している。
【００２１】
さらに、可動部材１１の内側には、閉鎖部材１５に隣接して、閉鎖部材１５をロックするためのロック部材１７が支持軸１８を介して軸支される。このロック部材１７は、先端部に閉鎖部材１５の係合部１５ｂと係合可能な係合部１７ａを設けて形成され、その中央部の軸孔に取付部１２の内側に突設した支持軸１８を挿通させるようにはめ込まれ、所定の範囲で回動可能に軸支される。
【００２２】
このロック部材１７は、図示しないばね部材により、図８の反時計方向に付勢されて装着される。図８の状態で、固定部材１側の支持ピン４が相対的移動により嵌合溝１４ａと進入溝１５ａに進入すると、閉鎖部材１５が支持ピン４に押されながら図８の反時計方向に所定角度回動し、支持ピン４が溝の奥の軸受部１４に嵌合したとき、係合部１５ｂと係合部１７ａの係合により、ロック部材１７が閉鎖部材１５をロックし、支持ピン４の軸受状態を保持する。
【００２３】
このロック部材１７を支持する支持軸１８は、上記支持ピン４と同様に、プレスの絞り加工により、先端閉鎖形の円筒形状に、取付部１２と一体に形成される。この支持軸１８は、プレスの絞り加工により形成されるため、取付部１２の上面には穴が形成され、中空の略弾丸形状に形成される。そして、この支持軸１８には、図５に示すように、ロック部材１７がその軸孔を挿通させてはめ込まれ、その状態で、支持軸１８の先端をプレスにより潰すようにかしめて偏平幅広形状とし、取付部１２に対しロック部材１７を回動可能に支持軸１８に軸支させている。
【００２４】
このように、閉鎖部材１５を軸支する支持軸１６及びロック部材１７を軸支する支持軸１８が、プレスによる絞り加工により形成されるから、特殊なかしめ機やピンかしめ用金型などを使用せずに、通常のプレス機を使用して加工することができる。また、可動部材全体の成形においても、ワークＷを所定の形状に裁断（せん断加工）し、所定の位置に取付孔を穿設し、そして、取付部１２を略Ｌ形に曲折する加工工程はプレス機で行なうため、この可動部材１１は、通常のプレス機を用いた汎用設備によるプレス加工（絞り加工、せん断加工、曲げ加工）によって、少ない工数で安価に製造することができる。
【００２５】
このように構成された固定部材１は、図１１に示すように、遊技機の筐体８の上部左角部に、取付部２をその角部に固定ねじで締め付けて固定され、可動部材１１は、前扉９の上部左角部に、取付部１２をその角部に固定ねじで締め付けて固定される。そして、前扉９を筐体８に対し取り付ける際には、図示しない下側の下部蝶番の固定側と可動側を嵌合させた状態とし、前扉９を少し開いた状態で筐体８側に近づけるように動かし、その可動部材１１の支持部１３の嵌合溝１４ａを、固定部材１側の支持ピン４に嵌合させる。
【００２６】
このとき、支持ピン４は相対的に嵌合溝１４ａと閉鎖部材１５の進入孔１５ａに進入し、閉鎖部材１５が支持ピン４に押されながら図８の反時計方向に所定角度回動し、支持ピン４が溝の奥の軸受部１４に嵌合したとき、係合部１５ｂと係合部１７ａが係合して、ロック部材１７が閉鎖部材１５を閉鎖状態でロックし、軸受部１４に支持ピン４が回動可能に軸受支持された状態となる。この状態で、可動部材１１は、固定部材１に対しその軸受部１４と支持ピン４を介して回動可能に支持され、前扉９は筐体８に対し開閉可能に取り付けられる。
【００２７】
なお、上記実施形態では、固定部材１側の支持ピン４を設け、可動部材１１側にその支持ピン４を支持する軸受部１４を設けたが、それとは逆に、固定部材側に支持ピンを支持する軸受部を設け、可動部材側に支持ピンを設けることもできる。
【００２８】
図１２〜図１５は、下部蝶番についての実施形態を示している。この下部蝶番は、遊技機の筐体と前扉の下部に取り付けられる蝶番で、筐体側に固定される固定部材３１と前扉側に固定される可動部材４１とから構成され、固定部材３１の水平支持部３３の下面に下向きに突設された支持ピン３４に、可動部材４１の軸受孔４４が嵌合して、可動部材４１が支持ピン３４を軸に回動可能に支持される。
【００２９】
固定部材３１は、図１２に示すように、筐体８に取り付けられる部分として略Ｌ形に曲折された取付部３２を有し、取付部３２には固定ねじをねじ込むための複数の取付孔が穿設されている。この取付部３２の下面から水平支持部３３が前面水平に突き出すように突設され、その水平支持部３３の上面に、支持ピン３４が上向きに突設される。この支持ピン３４は、固定部材３１をプレス加工により鋼板から成形する際、プレスの絞り加工により、先端閉鎖形の円筒形状に、水平支持部３３と一体に形成される。この支持ピン３４は、プレスの絞り加工により形成されるため、水平支持部３３の下面には穴３４ａが形成され、中空の略弾丸形状に形成される。
【００３０】
一方、可動部材４１は、図１４、図１５に示すように、略Ｌ形に曲折された取付部４２を有し、取付部４２には固定ねじをねじ込むための複数の取付孔が穿設されている。この取付部４２の下面から支持部４３が前面水平に突き出すように突設され、その支持部４３の先端近傍に、上記支持ピン３４に嵌合可能な軸受孔４４が穿設される。
【００３１】
このような構成の固定部材３１は、図１４，１５に示すように、遊技機の筐体８の下左角部に、取付部３２をその内側から固定ねじで締め付けて固定され、可動部材４１は、前扉９の下左角部に、取付部４２をその下角部に固定ねじで締め付けて固定される。そして、前扉９を筐体８に対し取り付ける際には、まずこの下部蝶番の固定部材３１の支持ピン３４に可動部材４１の軸受孔４４を嵌合させ、次に、図示しない上部蝶番の可動部材の軸受部を固定部材の支持ピンに嵌合させ、前扉９は筐体８に対し開閉可能に支持される。
【００３２】
このように本実施形態の下部蝶番においても、上記と同様に、固定部材３１の支持ピン３４が、プレスによる絞り加工により形成されるから、特殊なかしめ機やピンかしめ用金型などを使用せずに、通常の汎用プレス機を使用して比較的少ない工数で加工することができる。また、固定部材３１全体の成形においても、ワークを所定の形状に裁断（せん断加工）し、所定の位置に取付孔を穿設し、そして、取付部３２を略Ｌ形に曲折する加工工程は、汎用のプレス機で行なうため、この固定部材３１は、通常のプレス機によるプレス加工（絞り加工、せん断加工、曲げ加工）によって、汎用の設備で且つ少ない工数で、安価に製造することができる。
【００３３】
なお、上記実施形態では、固定部材３１側に支持ピン３４を設け、可動部材４１側にその支持ピン３４を支持する軸受孔４４を設けたが、それとは逆に、固定部材側に支持ピンを支持する軸受孔を設け、可動部材側に支持ピンを設けることもできる。その場合、支持ピンは可動部材の支持部の下面に下向きに突設されることになる。
【００３４】
【発明の効果】
以上説明したように、本発明の蝶番によれば、固定部材または可動部材に突設される支持ピンが、プレスの絞り加工により、裏面に穴を有した先端閉鎖形の円筒形状に、支持部と一体に形成され、可動部材または固定部材に軸支される支持ピン保持用の閉鎖部材の支持軸が、プレスの絞り加工により裏面に穴を有した先端閉鎖形の円筒形状に支持部と一体に形成されから、従来の蝶番のように、支持ピンを固定部材または可動部材の支持部にかしめ固定するために、或いは閉鎖部材を軸支するための支持軸をかしめ固定するために、使用していた特殊なかしめ機やピンかしめ用金型及び治具が不要となり、通常の金型と汎用プレス機を用いて、比較的少ない加工工数で安価に蝶番を製造することができる。
【図面の簡単な説明】
【図１】本発明の一実施形態を示す上部蝶番の固定部材の斜視図である。
【図２】図１の支持ピンの部分のＩＩ−ＩＩ断面図である。
【図３】上部蝶番の可動部材の斜視図である。
【図４】図３の支持軸の部分のＩＶ−ＩＶ断面図である。
【図５】図３の支持軸の部分のＶ−Ｖ断面図である。
【図６】可動部材の分解平面図である。
【図７】可動部材の背面図である。
【図８】可動部材の平面図である。
【図９】プレスによる支持ピンの絞り加工を示す断面説明図である。
【図１０】プレスによる支持ピンの絞り加工を示す断面説明図である。
【図１１】上部蝶番の固定部材１と可動部材１１の使用状態の斜視図である。
【図１２】下部蝶番の固定部材２１の斜視図である。
【図１３】図１２のＸＩＩＩ−ＸＩＩＩ断面図である。
【図１４】下部蝶番の使用状態の平面図である。
【図１５】下部蝶番の使用状態の側面図である。
【符号の説明】
１−固定部材
２−取付部
３−水平支持部
４―支持ピン
１１−可動部材
１２−取付部
１３−支持部
１４−軸受部
１５−閉鎖部材
１６−支持軸
【図１】
2004041345.tif 000003
【図２】
2004041345.tif 000004
【図３】
2004041345.tif 000005
【図４】
2004041345.tif 000006
【図５】
2004041345.tif 000007
【図６】
2004041345.tif 000008
【図７】
2004041345.tif 000009
【図８】
2004041345.tif 000010
【図９】
2004041345.tif 000011
【図１０】
2004041345.tif 000012
【図１１】
2004041345.tif 000013
【図１２】
2004041345.tif 000014
【図１３】
2004041345.tif 000015
【図１４】
2004041345.tif 000016
【図１５】
2004041345.tif 000017